(57)【要約】      （修正有）【課題】利便性を向上させた電気掃除機を提供する。【解決手段】電気掃除機は、電動送風機を収容し且つ取手部を有する掃除機本体と、掃除機本体に接続され且つ電動送風機による負圧により塵埃を吸い込む吸込体と、吸込体と掃除機本体との接続を固定するロック機構と、ロック機構の固定を解除する解除機構と、解除機構を動作させる解除操作部とを備え、解除操作部４８は、掃除機本体において、吸込体と掃除機本体との接続位置よりも取手部側に、解除操作を受け付ける操作受付部材４８１を有する。【選択図】図６
2020189136.tif 000002
【特許請求の範囲】
【請求項１】
電動送風機を収容し且つ取手部を有する掃除機本体と、
前記掃除機本体に接続され且つ前記電動送風機による負圧により塵埃を吸い込む吸込体と、
前記吸込体と前記掃除機本体との接続を固定するロック機構と、
前記ロック機構の固定を解除する解除機構と、
前記解除機構を動作させる解除操作部と
を備え、
前記解除操作部は、前記掃除機本体において、前記吸込体と前記掃除機本体との接続位置よりも前記取手部側に、解除操作を受け付ける操作受付部材を有する
電気掃除機。
【請求項２】
前記解除操作部は、前記操作受付部材の受付動作により前記解除機構を動作させる動作部材を備える
請求項１に記載の電気掃除機。
【請求項３】
前記動作部材は、前記掃除機本体に沿った第１方向に移動可能に支持され、前記受付動作により前記第１方向を前記接続位置側に移動する
請求項２に記載の電気掃除機。
【請求項４】
前記操作受付部材は、前記掃除機本体に沿った第１方向と交差する第２方向に移動可能に支持され、
前記受付動作は前記操作受付部材を前記第２方向に押し込む動作である
請求項２又は３に記載の電気掃除機。
【請求項５】
前記動作部材は、前記掃除機本体に沿った第１方向に延伸する軸部と、前記第１方向と交差する第２方向への前記操作受付部材の移動力を前記軸部の前記第１方向の前記接続位置側への移動力に変換する力変換部とを備える
請求項２〜４の何れか１項に記載の電気掃除機。
【請求項６】
前記解除機構は、前記掃除機本体に沿った第１方向と交差する第３方向に移動可能に支持された可動部を備え、
前記解除機構は、前記動作部材の前記第１方向の前記接続位置側への移動により前記可動部が前記第３方向に移動し、前記ロック機構の固定を解除する
請求項２〜５の何れか１項に記載の電気掃除機。
【請求項７】
前記ロック機構は、前記掃除機本体に設けられ且つ前記吸込体の接続部の被係合部に係合する係合部を有し、
前記解除機構は、前記可動部が前記第３方向に移動することで、前記係合部を係合方向と反対方向の解除方向に移動させる
請求項６に記載の電気掃除機。
【請求項８】
前記ロック機構と前記解除機構とは、前記係合部と前記可動部とを一体に備え且つ回転可能に支持された回転移動体により構成され、
前記第３方向は前記回転移動体の回転方向であり、
前記回転移動体の一方側への回転が前記係合方向であり、前記回転移動体の他方側への回転が前記解除方向であり、
前記可動部が第３方向に移動することで、前記回転移動体が前記第３方向を他方側に回転する
請求項７に記載の電気掃除機。
【請求項９】
前記回転移動体が回転すると、前記掃除機本体における前記接続位置側の開口から出退する操作部が前記回転移動体に一体に設けられ、
前記操作部を退避させると前記回転移動体が前記第３方向の他方側に回転する
請求項８に記載の電気掃除機。
【請求項１０】
前記掃除機本体は、前記解除操作部が操作されると、接続状態にある前記吸込体と前記掃除機本体とを離間させる離間機構を備える
請求項１〜９の何れか１項に記載の電気掃除機。
【請求項１１】
前記離間機構は、前記解除操作部の操作により前記吸込体側に突出する突出部材を備える
請求項１０に記載の電気掃除機。
【発明の詳細な説明】
【技術分野】
【０００１】
本発明は、掃除機本体と吸込具との間に接続部を備える電気掃除機に関する。
【背景技術】
【０００２】
特許文献１には、「ホースが接続された手元ハンドル部と、本体管とノズルとからなり前記本体管が手元ハンドル部に着脱可能に接続されたアタッチメント本体部と、該アタッチメント本体部の本体管に着脱可能に接続された延長パイプと、前記手元ハンドル部及びアタッチメント本体部に設けられ、該アタッチメント本体部に接続された延長パイプのロックを前記手元ハンドル部において解除するロック解除部と、該延長パイプに着脱可能に接続された床ブラシとからなるホースユニットを有し、前記床ブラシに接続された延長パイプを自立させた状態で、前記手元ハンドル部において前記ロック解除部が操作されることにより、前記アタッチメント本体部に接続した延長パイプのロックが解除されて該アタッチメント本体部が前記延長パイプから離脱されるようにしたことを特徴とする電気掃除機」が記載されている。
【先行技術文献】
【特許文献】
【０００３】
【特許文献１】特許第４２５８７３０号公報
【発明の概要】
【発明が解決しようとする課題】
【０００４】
上記文献では、アタッチメント本体部と延長パイプの両方が取り付けられた電気掃除機を前提とし、ロック解除部の操作により延長パイプをアタッチメント本体部から離脱させる構成である。このような構成とすると、ユーザによっては、延長パイプのみならずアタッチメント本体部も離脱した状態で使用したい場合もあり、利便性が低いという問題がある。
【０００５】
本発明は、このような事情に鑑みてなされたものであって、利便性を向上させた電気掃除機を提供することを目的とする。
【課題を解決するための手段】
【０００６】
上記課題を解決するために、本発明に係る電気掃除機は、電動送風機を収容し且つ取手部を有する掃除機本体と、前記掃除機本体に接続され且つ前記電動送風機による負圧により塵埃を吸い込む吸込体と、前記吸込体と前記掃除機本体との接続を固定するロック機構と、前記ロック機構の固定を解除する解除機構と、前記解除機構を動作させる解除操作部とを備え、前記解除操作部は、前記掃除機本体において、前記吸込体と前記掃除機本体との接続位置よりも前記取手部側に、解除操作を受け付ける操作受付部材を有する。
【発明の効果】
【０００７】
本発明によれば、解除操作部の操作により吸込体と掃除機本体とのロックを解除でき、利便性を向上させることができる。
【図面の簡単な説明】
【０００８】
【図１】実施形態に係る電気掃除機ユニットを示す図である。
【図２】実施形態に係る電気掃除機の掃除機本体から表カバーを外した状態を示す斜視図である。
【図３】実施形態に係る掃除機本体の一端側の分解状態を示す斜視図であり、（ａ）は表側から見た図であり、（ｂ）は裏側から見た図である。
【図４】実施形態に係る掃除機本体の一端側の断面図である。
【図５】実施形態に係る接続パイプの他端側を示す斜視図である。
【図６】実施形態に係る電気掃除機の他端側を示す断面図である。
【図７】実施形態に係る電気掃除機の他端側の分解状態を示す斜視図であり、（ａ）は表側から見た図であり、（ｂ）は裏側から見た図である。
【図８】実施形態に係るブラシ体を筒軸方向の一端側から見た斜視図であり、（ａ）は表側から見た図であり、（ｂ）は裏側から見た図である。
【図９】実施形態に補助集塵具の内部構造を説明する図である。
【発明を実施するための形態】
【０００９】
＜概要＞
一態様に係る電気掃除機は、電動送風機を収容し且つ取手部を有する掃除機本体と、前記掃除機本体に接続され且つ前記電動送風機による負圧により塵埃を吸い込む吸込体と、前記吸込体と前記掃除機本体との接続を固定するロック機構と、前記ロック機構の固定を解除する解除機構とを備え、前記掃除機本体は、前記解除機構を動作させる解除操作部を、前記吸込体と前記掃除機本体との接続位置よりも前記取手部側に備える。
別態様に係る電気掃除機において、前記解除操作部は、使用者から解除操作を受け付ける操作受付部材と、前記操作受付部材の受付動作により前記解除機構を動作させる動作部材とを備える。これにより、簡単な構造で解除操作部を構成できる。
別態様に係る電気掃除機において、前記動作部材は、前記掃除機本体に沿った第１方向に移動可能に支持され、前記受付動作により前記第１方向を前記接続位置側に移動する。これにより、簡単な構造で動作部材を構成できる。
【００１０】
別態様に係る電気掃除機において、前記操作受付部材は、前記掃除機本体に沿った第１方向と交差する第２方向に移動可能に支持され、前記受付動作は前記操作受付部材を前記第２方向に押し込む動作である。これにより、使用者の操作が容易に行える。
別態様に係る電気掃除機において、前記動作部材は、前記掃除機本体に沿った第１方向に延伸する軸部と、前記第１方向と交差する第２方向への前記操作受付部材の移動力を前記軸部の前記第１方向の前記接続位置側への移動力に変換する力変換部とを備える。これにより、操作受付部材と動作部材との周辺部分を小型化できる。
別態様に係る電気掃除機において、前記解除機構は、前記掃除機本体に沿った第１方向と交差する第３方向に移動可能に支持された可動部を備え、前記解除機構は、前記動作部材の前記第１方向の前記接続位置側への移動により前記可動部が前記第３方向に移動し、前記ロック機構の固定を解除する。これにより、簡単な構造でロックを解除できる。
【００１１】
別態様に係る電気掃除機において、前記ロック機構は、前記掃除機本体に設けられ且つ前記吸込体の接続部の被係合部に係合する係合部を有し、前記解除機構は、前記可動部が前記第３方向に移動することで、前記係合部を係合方向と反対方向の解除方向に移動させる。これにより、簡単な構造でロックを解除できる。
別態様に係る電気掃除機において、前記ロック機構と前記解除機構とは、前記係合部と前記可動部とを一体に備え且つ回転可能に支持された回転移動体により構成され、前記第３方向は前記回転移動体の回転方向であり、前記回転移動体の一方側への回転が前記係合方向であり、前記回転移動体の他方側への回転が前記解除方向であり、前記可動部が第３方向に移動することで、前記回転移動体が前記第３方向を他方側に回転する。これにより、ロック機構と解除機構との構造を簡単でき、安価に実施できる。
別態様に係る電気掃除機において、前記回転移動体が回転すると、前記掃除機本体における前記接続位置側の開口から出退する操作部が前記回転移動体に一体に設けられ、前記操作部を退避させると前記回転移動体が前記第３方向の他方側に回転する。これにより、解除操作部以外にロックを解除する手段があり、利便性を向上できる。
別態様に係る電気掃除機において、前記掃除機本体は、前記解除操作部が操作されると、接続状態にある前記吸込体と前記掃除機本体とを離間させる離間機構を備える。これにより、接続状態にある吸込体を容易に外すことができる。
別態様に係る電気掃除機において、前記離間機構は、前記解除操作部の操作により前記吸込体側に突出する突出部材を備える。これにより簡単な構造で実施できる。
【００１２】
＜実施形態＞
【００１３】
１．電気掃除機ユニット
図１に示すように、電気掃除機ユニットＡは、電気掃除機１及び掃除機支持装置６を備える。
電気掃除機１は、吸込具２、接続パイプ３、掃除機本体４をこの順で備える、いわゆるスティック型（縦型）の掃除機である。電気掃除機１は、吸込具２から接続パイプ３を通って掃除機本体４内に塵埃を吸い込む。なお、電気掃除機１は、図外の電源アダプターと着脱可能に装着されて充電される携帯型である。
電気掃除機１は、接続パイプ３に代えて装着できるブラシ体５を掃除機本体４に備える。
ここで、接続パイプ３の延伸方向（図中の「Ｘ」である）を「筒軸方向」とし、筒軸方向における吸込具２が存在する側を「一端側」とし、掃除機本体４が存在する側を「他端側」とする。吸込具２のヘッド部２１の延伸方向（図中の「Ｙ」である）を「左右方向」とし、当該延伸方向は筒軸方向と直交する。また、左右方向と直交し且つ筒軸方向を含む仮想面において筒軸方向の直交する方向（図中の「Ｚ」である）を「表裏方向」とする。
通常、床面を清掃する際には、吸込具２のヘッド部２１を前後方向に移動させ、ヘッド部２１が位置する側を前側又は表側とし、操作者が位置する側を後側又は裏側とする。また、筒軸方向が上下方向と一致する場合、表裏方向は前後方向と一致することから、表裏方向を、筒軸方向が上下方向と一致しない場合も「前後方向」とする場合もある。
掃除機支持装置６は、接続パイプ３が上下方向と平行なる状態又はこれに近い状態で、電気掃除機１を着脱可能に支持する。掃除機支持装置６は、電気掃除機１の吸込具２を載置する載置台７と、載置台７に載置された電気掃除機１を裏側から支持する支柱８とを備える。ここでは、補助集塵具９が支柱８に出し入れ可能に設けられている。
以下、電気掃除機１及び掃除機支持装置６について説明する。
【００１４】
２．電気掃除機
【００１５】
（１）掃除機本体
掃除機本体４は、筐体４０を利用して、電動送風機、バッテリー、回路モジュール、電気配線等の部品や集塵パックを収容する。機能的には、掃除機本体４は、本体部４１、集塵部４２、手元操作部４３、パイプ接続部４４、配線部４５を備える。
【００１６】
（１−１）筐体
主に、図２を用いて説明する。
筐体４０は、全体形状として長手方向に長い筒状をし、他端側に左右に貫通する空間４０１ｄを有する形状をしている。ここでの筐体４０は、筐体本体４０１と、筐体本体４０１の表側に装着される表カバー４０３と、集塵パックの付け外し用の集塵カバー４０５とをからなる。
【００１７】
（１−１−１）筐体本体
筐体本体４０１は、長手方向に延伸して他端部側が後方に屈曲するＬ字状部分４０１ａと、Ｌ字状部分４０１ａの一端の裏側に位置する筒状の端筒状部分４０１ｂと、Ｌ字状部分４０１ａの長手方向の中央の裏側に位置する円筒状の中円筒状部分４０１ｃと、Ｌ字状部分４０１ａの長手方向における中円筒状部分４０１ｃから他端側までの領域の裏側に位置し且つＬ字状部分４０１ａとの間で空間４０１ｄを形成する逆Ｌ字状部分４０１ｅと備える。なお、ここでは、Ｌ字状部分４０１ａの他端と逆Ｌ字状部分４０１ｅの他端とは連結しているが、連結しない（離間する）形状であってもよい。
【００１８】
（１−１−２）表カバー及び集塵カバー
表カバー４０３は、Ｌ字状部分４０１ａの形状に近い形状をし、Ｌ字状部分４０１ａを表側から覆う。
集塵カバー４０５は、筐体本体４０１の端筒状部分４０１ｂと中円筒状部分４０１ｃとの間の開口を覆う。集塵カバー４０５は筐体本体４０１に着脱可能に装着される。
【００１９】
（１−２）本体部
主に図２を用いて説明する。
本体部４１は、筐体本体４０１の一端側から、電動送風機、電動送風機及び回路モジュールに電力を供給するバッテリーをこの順で備える。電動送風機は主に中円筒状部分４０１ｃに配されている。バッテリーと回路モジュールとは逆Ｌ字状部分４０１ｅにおける空間４０１ｄの裏側部分に配されている。これにより、逆Ｌ字状部分４０１ｅ内を有効に利用できる。
また、電動送風機とバッテリーの配置位置は、自立式の電気掃除機１とするために、本体部４１の重心が吸込具２の上方に位置するように構成されている。
本体部４１は、集塵パックを筒軸方向の一端側に着脱可能に装着するためのパック装着部分や集塵カバー４０５を筐体本体４０１に着脱可能に装着するためのカバー装着部分を有する。
【００２０】
（１−３）パイプ接続部
パイプ接続部４４は接続パイプ３の他端に外嵌して接続する（図１参照）。パイプ接続部４４は、Ｌ字状部分４０１ａの一端部と端筒状部分４０１ｂとで構成される。パイプ接続部４４は接続パイプ３との接続状態を固定する本体側ロック機構と、接続状態の固定を解除する本体側解除機構とを有する。パイプ接続部４４は、接続状態の固定を解除する操作がなされると、接続状態にある接続パイプ３と掃除機本体４とを離間させる離間機構４９を備える。
ここでの本体側ロック機構と本体側解除機構とは一体で構成され、本体側ロック・解除機構４６とする。なお、本体側ロック・解除機構４６と離間機構４９とについては後述する。
【００２１】
パイプ接続部４４は、ブラシ体５を着脱可能に装着するための装着機構４７を有している。装着機構４７は端筒状部分４０１ｂの外周面に設けられている。ここでの装着機構４７は、左右方向を回転軸としてブラシ体５を回転可能に支持し、ブラシ体５を第１向きに回転させるとパイプ接続部４４の一端部に接続され、ブラシ体５を第２向きに回転させるとパイプ接続部４４を開放してパイプ接続部４４の外面に固定されるように、ブラシ体５を装着する。ここでは、第１向きは筒軸方向の一端側であり、第２向きは筒軸の他端側である。
なお、ブラシ体５がパイプ接続部４４に接続されると、ブラシ体５を使用しながらその中央から塵埃を吸い込むことができる。また、パイプ接続部４４が開放されると、接続パイプ３が接続可能となる。
【００２２】
具体的に説明する。
まず、ブラシ体５は、図８に示すように、コ字状のフレーム５１と、フレーム５１に設けられたブラシ５３と、フレーム５１からブラシ５３と反対側に対向する状態で延伸する一対の対向板５５とを有し、対向板５５の内面に軸用凸部５７と固定用凸部５９とが設けられている。
装着機構４７は、ブラシ体５の軸用凸部５７が挿入される軸穴４７１と、ブラシ体５を第１向きに回転させた際にブラシ体５の固定用凸部５９が嵌合する第１嵌合穴４７３と、ブラシ体５を第２向きに回転させた際にブラシ体５の固定用凸部５９が嵌合する第２嵌合穴４７５とで構成される。
【００２３】
（１−４）集塵部
集塵部４２はパイプ接続部４４の他端と本体部４１の一端との間に設けられている。集塵部４２は、筐体本体４０１に装着される集塵パックと、集塵パックを覆う集塵カバー４０５とからなる。集塵カバー４０５は、パイプ接続部４４（端筒状部分４０１ｂ）と本体部４１（中円筒状部分４０１ｃ）とに係合（装着）する係合（装着）機構を有する。
【００２４】
（１−５）手元操作部
手元操作部４３は、掃除の際に電気掃除機１を操作（把持）するための取手部４３１と、取手部４３１の近くに設けられた操作ボタン（図示省略）と、掃除機本体４と接続パイプ３との接続の固定を解除するように本体側ロック・解除機構４６を動作させる解除操作部４８を備える。なお、解除操作部４８については後述する。
取手部４３１は、Ｌ字状部分４０１ａと逆Ｌ字状部分４０１ｅとの間の空間４０１ｄを利用し、Ｌ字状部分４０１ａの屈曲領域と表カバー４０６の屈曲領域４０３ａとにより構成されている。
操作ボタンは、例えば、電気掃除機のＯＮ・ＯＦＦスイッチ、吸込具２の回転ブラシのＯＮ・ＯＦＦスイッチ等である。これらのスイッチは回路モジュールに接続されている。
【００２５】
（１−６）配線部
配線部４５は、吸込具２の回転ブラシを回転駆動するモータに電力を供給するための配線（図示省略）を筐体本体４０１のＬ字状部分４０１ａの表面に沿って備え、表カバー４０３により覆われている。
【００２６】
（２）接続パイプ
図１を用いて説明する。
接続パイプ３は、筒状をし、一端側が吸込具２に着脱可能に接続され、他端側が掃除機本体４に着脱可能に接続されている。接続パイプ３は、筒状部３１と、筒状部３１の表側を覆う表カバー３３とを備える。
図５に示すように、接続パイプ３の他端部３ａには、本体側ロック・解除機構４６がロックする本体側被ロック部３５が設けられている。ここでは、ロック機構に係合構造が利用され、本体側被ロック部３５は、解除機構４６が係合する係合孔（貫通孔）３５ａにより構成されている。
【００２７】
接続パイプ３の一端部には、吸込具２との接続状態をロックする吸込具側ロック機構が設けられている。ここでの吸込具側ロック機構は、係合構造が利用され、回転可能に支持された係合体３７により構成されている。係合体３７は、その回転支持位置よりも他端側に位置し且つ表カバー３３から露出する吸込具側操作部と、回転支持位置よりも一端側に位置し且つ裏側に突出する凸部を有する係合部とを有し、係合部が吸込具２の係合孔（図示省略、吸込具側被ロック部である）に係合する。なお、吸込具側操作部を押圧することで、係合体３７が回転して係合部の係合孔への係合が解除される。
【００２８】
（３）吸込具
図１を用いて説明する。
吸込具２は、左右方向に延伸するヘッド部２１の底部に吸込口を有し、その内部に回転ブラシ（図示省略）を収容する。
吸込具２は、ヘッド部２１の左右方向の中央から接続パイプ３側に筒状に延伸する延伸筒部２３を有している。延伸筒部２３の内部とヘッド部２１の底部の吸込口とは連通している。
吸込具２の延伸筒部２３は、接続パイプ３の一端部に挿入されることで、接続パイプ３と接続される。延伸筒部２３の他端には、接続パイプ３との接続を固定する吸込具側ロック機構の係合部が係合するための係合孔（吸込具側被ロック部）が設けられている。
吸込具２は、立設状態にある電気掃除機１を前側から支持する支持部２５を有している。ここでの支持部２５は、拡大図に示すように、欠け部分により構成され、この欠け部分に延伸筒部２３が嵌合することで、延伸筒部２３を前側から支持すると共に左右方向にも位置決めされる。
【００２９】
（４）本体側ロック・解除機構
図３及び図４を用いて説明する。
本体側ロック・解除機構４６は本体側ロック機構４６０と本体側解除機構４６５との両機能を有する。
（４−１）本体側ロック機構
本体側ロック機構４６０は係合構造を利用している。本体側ロック機構４６０は、接続パイプ３の他端に設けられている本体側被ロック部３５の係合孔３５ａ（図５参照）に係合する係合部４６１を有する。係合部４６１は左右方向を回転軸として回転可能に支持されている。具体的には、係合部４６１は軸部４６２から裏側に延伸し、図４に示すように、パイプ接続部４４の周壁の貫通孔４４ａを貫通して内部へ張り出している。なお、この張出部分４６１ａが接続パイプ３の他端部の係合孔３５ａ（図５参照）に係合する。
なお、係合部４６１の張出部分４６１ａがパイプ接続部４４の内側に入るように回転する方向（向き）を係合方向とし、係合部４６１の張出部分４６１ａがパイプ接続部４４の内側から外側に回転する方向（向き）を解除方向とする。
【００３０】
（４−２）本体側解除機構
本体側解除機構４６５は、本体側ロック機構４６０の係合部４６１を本体側被ロック部３５の係合孔３５ａから抜ける方向（解除方向）に移動させて、接続状態の固定（係合）を解除する。
ここでの本体側解除機構４６５は、手元操作部４３の解除操作部４８（図２参照）の操作により係合部４６１を解除方向に回転させるための可動部４６６を備える。可動部４６６は軸部４６２から径方向に突出する。ここでは、可動部４６６は軸部４６２に一体に設けられている。可動部４６６における係合部４６１側の面は、筒軸方向と交差し、軸体４８５の筒軸方向の一端部と当接又は近接する。これにより、軸体４８５が筒軸方向を一端側に移動することで、可動部４６６が軸部４６２の回りを解除方向へと移動する。これにより、可動部４６６と一体化されている係合部４６１が解除方向に回転移動する。
【００３１】
本体側解除機構４６５は、上記の解除操作部４８の解除操作以外の操作により、係合部４６１を解除方向に回転させるための操作部４６７を備えてもよい。操作部４６７は、図４に示すように、掃除機本体４のパイプ接続部４４の表カバー４０３の開口４０３ｂを利用して操作可能に構成されている。
操作部４６７は、開口４０３ｂ内に配され且つ裏側が開口する箱状をする箱状部分４６７ａと、箱状部分４６７ａと軸部４６２とを連結する連結部分４６７ｂとを有する。なお、箱状部分４６７ａが開口４０３ｂに対して押し込まれる（退避する）と、軸部４６２が回転し、結果的に係合部４６１が解除方向に移動（回転）する。
なお、図示しないが、操作部４６７（箱状部分４６７ａ）とパイプ接続部４４の周壁との間には、押し込まれた操作部４６７を元の位置に戻すように付勢する付勢機構（例えばバネ体）が設けられている。付勢機構の図示は省略している。
【００３２】
上述のように、ここでの本体側ロック・解除機構４６は、係合部４６１と軸部４６２と可動部４６６と操作部４６７とを一体に備える回転移動体４６８により構成されている。回転移動体４６８は、図３の（ａ）に示すように、配線部４５の表壁に形成された軸支持部４５ａに軸部４６２が回転可能に支持され、操作部４６７の箱状部分４６７ａが表カバー４０３の開口４０３ｂ内に位置する状態で、表カバー４０３により覆われている。
なお、本実施形態の第３方向は、軸部４６２の軸心を回転中心とする回転移動体４６８の回転方向であり、回転移動体４６８の係合方向の回転の向きが本実施形態の一方側であり、回転移動体４６８の解除方向の回転の向きが本実施形態の他方側である。
【００３３】
（５）解除操作部
主に図６及び図７を用いて説明する。
解除操作部４８は、掃除機本体４における接続パイプ３との接続位置よりも手元操作部４３側に設けられている。解除操作部４８は、使用者から解除操作を受け付ける操作受付部材４８１と、操作受付部材４８１の受付動作により本体側解除機構４６５（図４参照）を動作させる動作部材４８３とを備える。
【００３４】
（５−１）操作受付部材
操作受付部材４８１は、筒軸方向と交差する第２方向に移動可能に支持されている。ここでは、第２方向は表裏方向である。操作受付部材４８１は、裏側が開放する箱状部４８１ａと、箱状部４８１ａの開口縁から外方へ張り出す鍔部４８１ｂとを有する。
操作受付部材４８１は、筐体本体４０１のＬ字状部分４０１ａと表カバー４０３との間に配され、箱状部４８１ａが表カバー４０３の開口４０３ｃに嵌合する。
なお、鍔部４８１ｂは開口４０３ｃよりも大きい。これにより、操作受付部材４８１の箱状部４８１ａが開口４０３ｃに対して出退可能に支持される。使用者による操作受付部材４８１の受付動作は、使用者の箱状部４８１ａの押込みによる裏側への移動である。
【００３５】
操作受付部材４８１は、箱状部４１８ａの底面（裏面）から裏側に突出する突出部４８１ｃを備える。突出部４８１ｃにおける筒軸方向の一端側が傾斜面４８１ｄとなっている。
傾斜面４８１ｄは、当該傾斜面上を突出部４８１ｃの基部側から突出側に向かう（図６においてＺ方向の裏側に進む）にしたがって、箱状部４１８ａの底面から離れるように傾斜している。具体的に、突出部４８１ｃの筒軸方向の他端側の端面は筒軸方向と直交し、突出部４８１ｃの筒軸方向の寸法に着目して換言すると、左右方向に直交する断面（図６である）において、裏側に近づくにしたがって突出部４８１ｃの筒軸方向の寸法が小さくなるように傾斜している。
突出部４８１ｃの傾斜面４８１ｄは、動作部材４８３の他端部と当接し、使用者からの操作受付部材４８１の押込みによる移動力を動作部材４８３に伝達する力伝達部を構成する。なお、傾斜面４８１ｄは、後述の力変換体４８７の傾斜面４８７ｄと当接する。
【００３６】
（５−２）動作部材
動作部材４８３は、筒軸方向に移動可能に支持され、操作受付部材４８１の受付動作により筒軸方向を一端側（接続位置側）に移動する。
動作部材４８３は、筒軸方向に延伸する軸体４８５と、操作受付部材４８１の裏側への移動力を軸体４８５の一端側への移動力に変換する力変換体４８７とを備える。なお、ここでは、軸体４８５と力変換体４８７は他部材で構成されているが、例えば、一部材で構成してもよい。なお、軸体４８５は本実施形態の軸部の一例に相当し、力変換体４８７は本実施形態の力変換部の一例に相当する。
【００３７】
（５−２−１）軸体
軸体４８５は、横断面形状が円形状の棒状をし、図７の（ａ）に示すように、Ｌ字状部分４０１ａの表面に形成されたリブ４０１ｇの凹み４０１ｈに嵌るようにして支持されている。なお、リブ４０１ｇは左右方向に延伸し、筒軸方向に間隔をおいて複数個設けられている。各リブ４０１ｇの左右方向の端部は、筒軸方向に延伸するリブ４０１ｉにより補強（連結）されている。軸体４８５の他端側は後述の力変換体４８７に固定されている。
【００３８】
（５−２−２）力変換体
力変換体４８７は筒軸方向の移動可能に支持されている。ここでは、図７の（ａ）に示すように、力変換体４８７の裏面が筐体本体４０１の表面に当接し、力変換体４８７の左右端面が筐体本体４０１から筒軸方向に沿って表側に延伸するリブ４０１ｊと当接する。
力変換体４８７は全体として筒軸方向に長い直方体状に似た形状をしている。力変換体４８７は、筒軸方向に延伸する縦溝部４８７ａと、左右方向に延伸する横溝部４８７ｂとを有し、他端部４８７ｃの端面が傾斜面４８７ｄとなっている。
【００３９】
縦溝部４８７ａは軸体４８５を固定するためのものである。縦溝部４８７ａは、筒軸方向の一端側に形成され、当該縦溝部４８７ａに軸体４８５の他端部が嵌合する。なお、縦溝部４８７ａと軸体４８５の他端部とは固定されている。固定として、縦溝部４７８ａによって軸体４８５を挟む力によって固定が実現されてもよいし、例えば接着剤や係合構造を使用して固定してもよい。これにより、軸体４８５と力変換体４８７とが筒軸方向に一体で移動可能となる。
【００４０】
横溝部４８７ｂは筒軸方向の略中央に形成されている。横溝部４８７ｂは、図６に示すように、表裏方向に出退する操作受付部材４８１の鍔部４８１ｂ用のスペースである。操作受付部材４８１が使用者の押し込みにより動作部材４８３が筒軸方向の一端側に移動した際に、箱状部４８１ａにおける筒軸方向の一端側に位置する側壁の内面と、横溝部４８７ｂを構成している他端側の側面とが当接する。これにより、動作部材４８３が筒軸方向の一端側に抜けるのを防止できる。
なお、横溝部４８７ｂの筒軸方向の一端側と縦溝部４８７ａとは操作受付部材４８１の外側に位置し、横溝部４８７ｂの筒軸方向の他端側と他端部４８７ｃとは操作受付部材４８１の箱状部４８１ａ内に位置する。
【００４１】
他端部４８７ｃの傾斜面４８７ｄは、当該傾斜面上を筒軸方向の他端側（図６において右側）から筒軸方向の一端側（図６における左側）に向かうにしたがって操作受付部材４８１の箱状部４８１ａに近づくように傾斜する。
傾斜面４８７ｄは、操作受付部材４８１の突出部４８１ｃの傾斜面４８１ｄ（力伝達部）と当接する。これにより、操作受付部材４８１が裏側に移動すると、力変換体４８７の傾斜面４８７ｄが操作受付部材４８１側の傾斜面４８１ｄに沿ってズレて（せり出して）、力変換体４８７が筒軸方向の一端側に押し出される。つまり、操作受付部材４８１の裏側への移動力を軸体４８５の一端側への移動力に変換することができる。
なお、図示していないが、軸体４８５を支持し且つ筒軸方向の最も他端側に位置するリブ４０１ｇと力変換体４８７の一端部との間には、軸体４８５に嵌められたバネ体が設けられていてもよい。これにより、使用者により一旦押し込まれた操作受付部材４８１を開口４０３ｂから出方向に戻すように構成されている。つまり、使用者による解除操作を元に戻すように付勢する付勢機構を備えている。
【００４２】
（６）離間機構
（６−１）の構造
図３及び図４を用いて説明する。
離間機構４９は、解除操作部４８の操作により接続パイプ３側に突出する突出部材４９１を備える。突出部材４９１は、ベース部４９１ａと、ベース部４９１ａから筒軸方向の一端側に延伸する延伸部４９１ｂとを備える。ここでの延伸部４９１ｂは例えば円柱状をしている。
ここでは、延伸部４９１ｂが筐体本体４０１のリブ４０１ｋの貫通孔４０１ｍを挿通し、ベース部４９１ａの裏面が筐体本体４０１に当接し、ベース部４９１ａの表面が表カバー４０３に当接することで、ガタツキなく筒軸方向に移動可能に支持される。ここで、貫通孔４０１ｍは、リブ４０１ｋに設けられた２つの貫通孔４０１ｎの間に設けられる。この２つの貫通孔４０１ｎは、筐体本体４０１側の配線と接続パイプ３側の配線とを電気的に接続するための一対の電極ピン３６が挿入される孔である。
【００４３】
突出部材４９１は、ベース部４９１ａの筒軸方向の他端側に傾斜面４９１ｃを有している。傾斜面４９１ｃは、当該傾斜面上を筒軸方向の一端側から他端側に向かうにしたがって表カバー４０３の裏面から離れるように傾斜している。傾斜面４９１ｃは本体側解除機構の操作部４６７の裏面と当接している。これにより、操作部４６７が軸部４６２の回りを解除方向に回転するにしたがって、傾斜面４９１ｃが筒軸方向の他端側から一端側にせり出すことで、突出部材４９１が筒軸方向の一端側に押し出される。このように、操作部４６７の解除方向の移動力を突出部材４９１の一端側への移動力に変換できる。
また、ここでは、解除操作部４８が使用者により解除操作されて軸体４８５が移動し、軸体４８５に当接する可動部４６６が軸部４６２の回りを解除方向に回転することで、突出部材４９１が筒軸方向の一端に向かって移動する。したがって、この突出部材４９１の押し出しの動きによって、接続パイプ３をパイプ接続部４４から離脱させる方向に押し出すことができる。
【００４４】
解除操作部４８を操作する際、例えば、使用者は、接続パイプ３を把持して接続パイプ３を支持した状態で行ってもよいし、電気掃除機１を自立させた状態で行ってもよい。特に、自立状態で行う場合、離間機構４９により接続パイプ３と掃除機本体４とを離間させるため、使用者が接続パイプ３に触れることなく、接続パイプ３と掃除機本体４とを分離することができる。また、自立状態では、接続パイプ３及び吸込具２の重力が作用する方向と突出部材４９１が突出する方向とが略一致するため、接続パイプ３が掃除機本体４から外れやすくできる。なお、自立状態で掃除機本体４と分離した接続パイプ３はそのまま転倒することなく、自立状態を維持できるため、使用者にとって非常に使い勝手の良いものとなる。
【００４５】
３．掃除機支持装置
主に図１を用いて説明する。
（１）掃除機支持装置
掃除機支持装置６は、上述のように載置台７と支柱８とを備える。
載置台７は、偏平な箱状をし、前面の開口（上面の開口の図示は省略）から後方へと延び且つ補助集塵具９のヘッド部を挿入できる挿入空間７１を有する。
載置台７の上面には挿入空間７１に連通する貫通孔を左右方向に複数個有している。上面の貫通孔は、載置台７に載置された電気掃除機１の吸込具２の吸込口と対向するように設けられている。
支柱８は、下支柱部８１と上支柱部８３とを備え、上支柱部８３が電気掃除機１の接続パイプ３を後方から支持する。支柱８は、上支柱部８３に補助集塵具９を収容するボックス８５を着脱可能に備える。
支柱８（上支柱部８３）は、ボックス８５を装着するための装着部を有する。ここでのボックス９５は、上下方向に長く且つ少なくとも上面が開放する箱状をしている。ボックス９５における支柱８と対向する対向壁には上支柱部８３に上下に間隔をおいて設けられた２個の係合片があり、当該係合片が係合する係合溝が装着部として形成されている。なお、装着部（係合溝）は、上支柱部８３の左右方向の左右壁と、左右方向と直交する方向の後側の後壁とに設けられ、ボックス８５の取り付け位置を選択できる。
【００４６】
（２）補助集塵具
補助集塵具９は、モップ、埃取り、ブラシ、ほうき、たわし、などの清掃用具である。補助集塵具９は図外のヘッド部と柄部９１を備える。
ヘッド部は、柄部９１に着脱可能に装着され、交換可能に構成されている。
柄部９１は、図９に示すように、ヘッド部が一端に装着される内パイプ９１１と、内パイプ９１１を伸縮可能に収容する外パイプ９１３と、内パイプ９１１を外パイプ９１３に対して位置決めする位置決め機構９１５と、外パイプ９１３の上端を覆うキャップ９１７とを少なくとも有する。
【００４７】
位置決め機構９１５は、内パイプ９１１に共回り状態で取り付けられるアダプター９１８と、アダプター９１８と外パイプ９１３との間に配されるストッパー９１９とを有する。
アダプター９１８は、内パイプ９１１の欠け部９１１ａに嵌合する凸部９１８ａと、ストッパー９１９が嵌合する嵌合部９１８ｂと、嵌合部９１８ｂの上下両端から外方へ張り出す下鍔部９１８ｃ、上鍔部９１８ｄとを備える。嵌合部９１８ｂの外周面は、同図の（ｃ）に示すように、外周面の半径が等しい円周面９１８ｅと、外周面を周方向に旋回するにしたがって中心から遠くなる拡径面９１８ｆとからなる。
【００４８】
ストッパー９１９は、弾性変形可能なゴム材料により構成され、横断面形状が「Ｃ」字状をしている。「Ｃ」字の両端に位置する部位は厚肉部９１９ａとなっている。ストッパー９１９の外周面は外パイプ９１３の内周面に略当接し、外パイプ９１３が内パイプ９１１に対して回転すると、外パイプ９１３と共に回転する。
ストッパー９１９は、ストッパー９１９内であって一対の厚肉部９１９ａ間にアダプター９１８の嵌合部９１８ｂの拡径面９１８ｆが位置するように、アダプター９１８の嵌合部９１８ｂに嵌合する。これにより、外パイプ９１３が内パイプ９１１に対して回転すると、外パイプ９１３と共にストッパー９１９が回転し、やがてストッパー９１９の厚肉部９１９ａが拡径面９１８ｆに達すると、ストッパー９１９の厚肉部９１９ａが外パイプ９１３の内面を押圧し、外パイプ９１３が内パイプ９１１に固定される。
【００４９】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００５０】
＜変形例＞
【００５１】
（１）電気掃除機１はスティック型の掃除機であったが、キャニスター型の掃除機であってもよい。この場合、掃除機本体に接続される可撓性のホース体の手元操作具と吸込体との接続部について適用できる。
（２）電気掃除機１は補助集塵具９を備えていないが、例えば、補助集塵具や補助集塵具の長手方向に間隔をおいて磁石を設け、補助集塵具を電気掃除機に着脱可能に装着するようにしてもよいし、補助集塵具を収納するためのボックス８５に磁石を設けて、電気掃除機に着脱可能に装着するようにしてもよい。
（３）電気掃除機１は集塵パックを収容するタイプの掃除機であったが、集塵パックの代わりに、集塵フィルタを電動送風機の上流側に設け、吸い込んだ塵埃を集塵ケース内に集塵するタイプ（いわゆるサイクロン式）であってもよい。
（４）実施形態では、吸込体が接続パイプ３と吸込具２とで構成され、掃除機本体４と吸込体との接続の一例として、掃除機本体４と接続パイプ３との接続について説明している。
しかしながら、本発明に係る接続は、例えば、吸込体を吸込具で構成し、接続パイプ付きの掃除機本体の接続パイプと吸込具との接続であってもよいし、吸込体を吸込具で構成し、接続パイプのない掃除機本体と吸込具との接続であってもよい。
【００５２】
（５）実施形態では、（本体側）ロック機構４６０と（本体側）解除機構４６５とが一体となった（本体側）ロック・解除機構４６について説明したが、ロック機構と解除機構とを別体で備えてもよい。なお、一体とした構造の方が簡易となる。
（６）実施形態の解除操作部４８は、筐体本体４０１のＬ字状部分４０１ａの直線領域に設けられているが、解除操作部をＬ字状部分４０１ａの屈曲領域に設けてもよい。なお、直線領域に解除操作部を設けると、直線状の軸体４８５を利用でき、その構造が簡易となる。
（７）実施形態の解除操作部４８は操作受付部材４８１と動作部材４８３とを別体で備えているが、例えば、操作受付部材と動作部材とを一体で備える構造にしてもよい。一例として、第１方向にスライド可能に設けられた動作部材の一部を使用者が直接スライドさせるような構造がある。
【００５３】
（８）実施形態の動作部材４８３は、解除操作があると第１方向を接続位置側に移動するが、例えば、ロック機構の係合方向と解除方向とを実施形態と逆になるように構成し、動作部材が第１方向を接続位置と反対側に移動するようにしてもよい。この場合、操作受付部材と動作部材との当接面を、第２方向を押込側に進むにしたがって第１方向を接続位置に近づくように傾斜させればよい。
（９）実施形態の動作部材の軸部は、棒状体により構成されているが、例えば、ワイヤー等の線条体を利用することもできる。この場合、操作受付部材の移動に合わせてワイヤーが接続位置と反対側に移動し、この移動によりロック機構の固定が解除するように構成すればよい。
【００５４】
（１０）実施形態の離間機構４９は、（本体側）ロック・解除機構４６の動作に合わせて、突出部材４９１が突出するように構成されている。しかしながら、突出部材は、解除操作部４８の軸部により構成してもよく、この場合、軸部の第１方向の途中に、（本体側）ロック・解除機構４６の可動部４６６と接触する接触部を備えることで実施できる。
（１１）実施形態は、スティック型の電気掃除機における掃除機本体４と吸込体との接続に着目した発明を記載しているが、接続部を離間する離間機構に着目すると、スティック型、キャニスター型の掃除機に関係しない以下の発明が本明細書に記載されている。
つまり、第１接続体と第２接続体とが嵌合して接続される接続構造において、前記第１接続体と前記第２接続体との接続を固定するロック機構と、前記ロック機構の固定を解除する解除機構と、前記解除機構の解除に合わせて接続状態の前記第１接続体と前記第２接続体とを離間させる離間機構とを備える。
実施形態に当てはめると、第１接続体は掃除機本体４であり、第２接続体が吸込体（接続パイプ３）である。しかしながら、本発明に係る接続は、第１接続体が接続パイプであり、第２接続体が吸込具であってもよいし、第１接続体が掃除機本体であり、第２接続体が吸込具であってもよい。さらに、キャニスター型の電気掃除機では、第１接続体が手元操作具であり、第２接続体が接続パイプであってもよいし、第１接続体が接続パイプであり、第２接続体が吸込具であってもよい。
【符号の説明】
【００５５】
Ａ    電気掃除機ユニット
１    電気掃除機
２    吸込具
３    接続パイプ
４    掃除機本体
６    掃除機支持装置
４６    本体側ロック・解除機構
４８    解除操作部
４３１    取手部
４６０    本体側ロック機構
４６５    本体側解除機構
【図１】
2020189136.tif 000003
【図２】
2020189136.tif 000004
【図３】
2020189136.tif 000005
【図４】
2020189136.tif 000006
【図５】
2020189136.tif 000007
【図６】
2020189136.tif 000008
【図７】
2020189136.tif 000009
【図８】
2020189136.tif 000010
【図９】
2020189136.tif 000011